(57)【要約】【課題】  実際の刀剣を用いた試合のように、より現実みを帯び、しかも遊戯相手には特別な装置を取付ける必要がない模造刀剣を提供する。【解決手段】  刀剣本体１１に、刀剣本体１１が対象物に触れたことを検知するセンサー手段を設け、センサー手段の出力によって、擬似音発生器２２を作動させ、擬似音発生器２２に接続されたスピーカ１８から擬似音を発生する。これによって、相手に特別な受信器等を設ける必要がなく、相手に刀剣本体１１が触れることによって相手を検知し、擬似音を発生するので、簡便にチャンバラ等の刀剣遊戯や刀剣スポーツを楽しむことができる。【選択図】        図１
2005224432.tif 000002
【特許請求の範囲】
【請求項１】
刀剣本体に、該刀剣本体が対象物に触れたことを検知するセンサー手段を設け、該センサー手段の出力によって、擬似音発生器を作動させ、該擬似音発生器に接続されたスピーカから擬似音を発生することを特徴とする模造刀剣。
【請求項２】
請求項１記載の模造刀剣において、前記センサー手段、前記擬似音発生器、及びスピーカは前記刀剣本体に設けられていることを特徴とする模造刀剣。
【請求項３】
請求項１及び２のいずれか１項に記載の模造刀剣において、前記センサー手段は、前記刀剣本体の刀部に設けられた検知部と、該検知部によって検出された信号が一定以上大きくなること及び一定時間以上続くことを条件に出力を発する信号処理器とを有することを特徴とする模擬刀剣。
【請求項４】
請求項３記載の模造刀剣において、前記検知部は静電容量の値又はその変化を検知する電極片であることを特徴とする模造刀剣。
【請求項５】
請求項３記載の模造刀剣において、前記検知部はマイクロホンからなることを特徴とする模造刀剣。
【請求項６】
請求項１〜５のいずれか１項に記載の模造刀剣において、前記刀剣本体の刀部の一部又は全部が透光性材質からなって、前記刀剣本体の内部にはランプが設けられ、前記スピーカからの擬似音と共に、又は前記スピーカの擬似音に代えて前記ランプが点灯することを特徴とする模造刀剣。
【発明の詳細な説明】
【技術分野】
【０００１】
本発明は、一人又は複数の遊戯者が遊ぶ模造刀剣（玩具又はスポーツ用の刀剣）に係り、特に、刀剣が対象物（例えば、相手方又はその他の物）に当たった場合、それを検知して擬似音、場合によっては光を発する模造刀剣に関する。
【背景技術】
【０００２】
わが国において、子供や大人の間で所謂「チャンバラ」と言われる模造刀剣を用いた遊戯が行われている。このような模造刀剣としては、一般に竹や木あるいはプラスチック製の模造刀剣が使用されている。そして、例えば、特許文献１においては、一方の遊戯者が使用する刀剣に、刃を有さない柄のみからなる剣を用い、この柄に発信装置を設け、他方の遊戯者に複数の受信装置を取付けて遊戯を行う剣術遊戯具が提案されている。
【０００３】
【特許文献１】特開平５−２６１１６８号公報（図１）
【発明の開示】
【発明が解決しようとする課題】
【０００４】
しかしながら、前記公報記載の剣術遊戯具は、装置が複雑であり、遊戯を行う二人以上の者にそれぞれ受信装置を装着する必要があり、更には、受信装置は遊戯者の一部の部位にしか取付けることが実際上できないので、例えば、実際では相手の体に触れているが、受信装置がないので、反応しない等の問題があり、実際の剣術とはかけ離れたものであった。
【０００５】
本発明はかかる事情に鑑みてなされたもので、実際の刀剣を用いた試合のように、より現実みを帯び、しかも遊戯相手には特別な装置を取付ける必要がない模造刀剣を提供することを目的とする。
【課題を解決するための手段】
【０００６】
前記目的に沿う請求項１記載の模造刀剣は、刀剣本体に、該刀剣本体が対象物に触れたことを検知するセンサー手段を設け、該センサー手段の出力によって、擬似音発生器を作動させ、該擬似音発生器に接続されたスピーカから擬似音を発生する。ここで、センサー手段は、通常のリミットスイッチ、静電センサー、熱センサー、通電センサー等の対象物に触れることによって対象物を検知するものであれば如何なるものでもよい。
【０００７】
なお、擬似音発生器は刀剣本体外に配置されるものであってもよく、この場合は、無線通信手段（例えば、電波、赤外線）によって信号の授受が行われる。
また、擬似音は、例えば、「ズバ−」、「ブス」等、例えば、実際の刀剣や包丁でキャベツ等の野菜を切る音を使用してもよいし、特定の周波数の波形の組み合わせからなる電子音で構成してもよい。
【０００８】
また、請求項２記載の模造刀剣は、請求項１記載の模造刀剣において、前記センサー手段、前記擬似音発生器、及びスピーカは前記刀剣本体に設けられている。
請求項３記載の模造刀剣は、請求項１及び２記載の模造刀剣において、前記センサー手段は、前記刀剣本体の刀部に設けられた検知部と、該検知部によって検出された信号が一定以上大きくなること及び一定時間以上続くことを条件に出力を発する信号処理器とを有する。
【０００９】
請求項４記載の模造刀剣は、請求項３記載の模造刀剣において、前記検知部は静電容量の値又はその変化を検知する電極片である。
請求項５記載の模造刀剣は、請求項３記載の模造刀剣において、前記検知部はマイクロホンからなる。
【００１０】
請求項６記載の模造刀剣は、請求項１〜５記載の模造刀剣において、前記刀剣本体の刀部の一部又は全部が透光性材質からなって、前記刀剣本体の内部にはランプが設けられ、前記スピーカからの擬似音と共に、又は前記スピーカの擬似音に代えて前記ランプが点灯する。
【発明の効果】
【００１１】
請求項１〜６記載の模造刀剣は、刀剣本体にセンサー手段を設けたので、相手に特別な受信器等を設ける必要がなく、相手に刀剣本体が触れることによって相手を検知し、擬似音を発生するので、簡便にチャンバラ等の刀剣遊戯や刀剣スポーツを楽しむことができる。
特に、請求項２記載の模造刀剣においては、センサー手段、擬似音発生器、及びスピーカは刀剣本体に設けられているので、より真実みを増す遊戯（又はスポーツ）を楽しむことができる。
【００１２】
請求項３記載の模造刀剣において、センサー手段は、刀剣本体の刀部に設けられた検知部と、該検知部によって検出された信号が一定以上大きくなること及び一定時間以上続くことを条件に出力を発する信号処理器とを有しているので、例えば、双方の刀同士が接触した場合等の特殊な場合には、信号処理器は出力を発しない。従って、より現実みを帯びた刀剣遊戯又は刀剣スポーツを楽しむことができる。
【００１３】
請求項４記載の模造刀剣は、検知部は静電容量の値又はその変化を検知する電極片であるので、その構造が簡単であり、小さな物に刀剣本体の刀部が触れても反応しない。
また、請求項５記載の模造刀剣は、検知部はマイクロホンからなっているので、その構造が簡単であると共に、刀同士が触れた音と相手に触れた音を、その波形又は音信号の長さから区別でき、より現実みが増す。
【００１４】
請求項６記載の模造刀剣は、刀剣本体の刀部の一部又は全部が透光性材質からなって、刀剣本体の内部にはランプが設けられ、スピーカからの擬似音と共に、又はスピーカの擬似音に代えてランプが点灯するので、より面白みが増す。
【発明を実施するための最良の形態】
【００１５】
続いて、添付した図面を参照しつつ、本発明を具体化した実施の形態につき説明し、本発明の理解に供する。
ここで、図１は本発明の第１の実施の形態に係る模造刀剣の側面図、図２は図１におけるＡ−Ａ矢視断面図、図３は図１におけるＢ−Ｂ矢視断面図、図４、図５は変形例に係る模造刀剣の断面図、図６は本発明の第２の実施の形態に係る模造刀剣の側面図である。図７、図８はそれぞれ本発明の第１、第２の実施の形態に係る模造刀剣の電気配線を示すブロック図である。
【００１６】
図１に示すように、本発明の第１の実施の形態に係る模造刀剣１０は、全体が硬質又は軟質のプラスチックからなって、通常の日本刀等と形が似ており、刀剣本体１１と、刀剣本体１１の刀部１２を収める鞘１３とを有する。刀部１２を除く刀剣本体１１の基側には柄部１４が設けられ、柄部１４と刀部１２との境界部分には、鍔１５を有している。
そして、この実施の形態では、刀剣本体１１の刀部１２の内部に検知部の一例である電極片１６、１７と、擬似音を発生するスピーカ１８とが設けられ、柄部１４内に電極片１６、１７に接続される信号処理器１９（図７参照）を備えた制御部２０と電池２１が設けられている。なお、電極片１６、１７と信号処理器１９を有してセンサー手段が構成されている。また、刀部１２に配置する電極片は一つでもよく、この場合、他の一つは例えば、柄部１４に配置する。
【００１７】
図７に示すように、電極片１６、１７から構成される静電センサーは、近づく人体等の誘電物質によって静電容量が変わるので、その静電容量を制御部２０内の信号処理器１９で処理し、その大きさＣ１と変化のあった時間Ｔ１を検知し、基準となる静電容量Ｃｓ以上にＣ１が大きく（即ち、Ｃ１≧Ｃｓ）、しかも、基準となる時間Ｔｓ以上にＴ１が大きいこと（即ち、Ｔ１≧Ｔｓ）を条件にして、信号処理器１９からの信号は、制御部２０内の擬似音発生器２２に送られ、合成又は予め録音された擬似音の電気信号をスピーカ１８に出力し、スピーカ１８から擬似音を発するようになっている。
【００１８】
なお、基準となる静電容量Ｃｓは、刀剣本体１１の１ｍ四方に物体が無い状態での空気中での電極片１６、１７で測定される静電容量Ｃａの例えば２〜４倍程度とするのがよい。これより小さい場合には、刀剣本体１１が小さな物に当たった場合でも反応するので、好ましくなく、大きい場合には感度が悪くなる。なお、この基準となる静電容量Ｃｓは、電極片１６、１７の形状や取付け場所によって変化するので、適宜、基準となる静電容量Ｃｓを調整できるようにしておき、信号処理器１９に調整機能を設け、使用状況に合わせて調整するのがよい。
また、基準となる時間Ｔｓは余り短いと雑音を拾って敏感に成りすぎるので、例えば、０．２〜０．８秒程度とするのがよい。短い場合には、誤動作が多くなり、長い場合は感度が悪くなる。なお、この時間Ｔｓも信号処理器１９に別の調整手段を設け、使用状況に合わせて時間調整するのがよい。
【００１９】
電極片１６、１７間の静電容量を例えば高周波を流して直接そのインピーダンスを測定してもよいが、電極片１６、１７の間の静電容量によって発信する発信器を制御部２０内に設け、その発信周波数の変化をアナログ信号に変換し、静電容量Ｃｓに対応する基準電圧と比較して、Ｃ１≧Ｃｓになったか否かを判断するのが、回路構成上簡単である（なお、これらは周知の技術であるので、詳しい説明は省略する）。
【００２０】
擬似音発生器２２は、チャンバラ映画で使用される音、例えば「バサッ」、「ズバー」というような音を使用する。この音は電気信号によって合成してもよいが、例えば、キャベツ等の野菜を刃物で切った場合に発する音を録音し、それをＡＤ変換して、デジタル信号としてメモリに記憶し、信号処理器１９からの電気信号によってそれを再生し、必要な電力まで、アンプで増幅するのがよい。なお、信号処理器１９によって検出される所定以上の信号の時間の長さによって、擬似音の長さや周波数を変えてもよいし、固定であってもよい。
【００２１】
図１、図２に示すように、電極片１６、１７はアルミニウムや銅等の金属箔又は金属板からなって、刀剣本体１１内の刀部１２に長さ方向に位置を変えて設けられている。刀剣本体１１は、図２に示すように内部中空となっているので、その内側に電極片１６、１７が貼着されている。なお、図４に示すように、刀剣本体２４の先部に露出するように、電極片２５（２６）を埋め込んでもよいし、図５に示すように刀剣本体２７の一部を導電性の部材（例えば、導電性プラスチック）で電極片２８（２９）を構成してもよい。
【００２２】
スピーカ１８は、図３に示すように、小型のタイプのものを刀部１２の基側に配置する。この場合、図３に示すように、左右対称に設けてもよいが、片側のみでもよい。
また、刀剣本体１１の基側、この実施の形態では刀部１２の基側には、ランプ３０が設けられている。このランプ３０は、信号処理器１９から発せられ、擬似音発生器２２に信号を送ると同一のタイミングで、ランプ３０を所定時間（例えば、１〜２秒）点灯するようになっている。なお、このランプ３０は場合によっては省略することも可能である。また、スピーカからの擬似音に代えてランプが点灯するようにしてもよい。
【００２３】
ランプ３０は、白熱電球又は発光ダイオード（白、赤、緑、青）からなって、刀部１２の基側に設けられ、点灯した場合には、刀部１２の中央部から先側を、その内部から照らすようになっている。なお、当然のことながら、この場合、少なくとも刀部１２は半透光性を有する合成樹脂（透光性材質）からなる。
ランプ３０への電力は、擬似音発生器２２からの信号を直接与えてもよいし、別に信号処理器１９から信号を貰って、所定の時間点灯又は点滅する電源を設けてもよい。また、ランプ３０にキセノンランプを使用し、瞬間的に発光させるようにしてもよい。
【００２４】
鍔１５の部分には、電源スイッチ３１が設けられ、刀剣本体１１の刀部１２を鞘１３に収納した場合は、電源スイッチ３１の図示しない作動片が鞘１３の入り側端部に当たって、電池２１からの電源が切れる。なお、この電源スイッチ３１の代わりに手動操作の電源スイッチを、柄部１４の一部（例えば端部）に設けてもよいし、また、電源スイッチ３１とは別に手動操作の電源スイッチを用意し、柄部１４に固定配置してもよい。
【００２５】
従って、この模造刀剣１０を用いて刀剣遊戯又は刀剣スポーツを行うと、刀部１２が相手の身体に触れると、電極片１６、１７間の静電容量が変わり、これが一定大きさ（Ｃｓ）以上で、一定時間（Ｔｓ：極めて短い）以上であると、信号処理器１９から擬似音発生器２２に信号が送られ、スピーカ１８から「ズバー」という音を発すると共に、ランプ３０が瞬時点灯する。
競技者が使用する模造刀剣１０同士の刀部１２が当接する場合には、電極片１６、１７間の静電容量が小さいので擬似音は発生しない。
【００２６】
続いて、図６、図８を参照しながら、本発明の第２の実施の形態に係る模造刀剣３４について説明する。なお、前記実施の形態と同一の構成要素は同一の番号を付してその詳しい説明を省略する。
この実施の形態に係る模造刀剣３４は、センサー手段の検知部にマイクロホン３５を使用している。マイクロホン３５は如何なるタイプのものでもよいが、例えば、コンデンサータイプのもの、圧電素子タイプのものを使用するのが構造上簡単でよい。
【００２７】
マイクロホン３５は、刀剣本体３６の刀部１２に１又は２つ以上設けるのがよい。マイクロホン３５の信号は信号処理器３７に出力される。信号処理器３７では、マイクロホン３５の信号を増幅し、この信号Ｍ１が一定周波数（例えば、５００Ｈｚ〜５０００Ｈｚ）で、一定の基準値Ｍｓ以上であり、かつ一定時間Ｔｓｓ（例えば、０．１〜０．５秒）以上続くことを確認して、信号処理器３７から擬似音発生器２２に信号を送る。擬似音発生器２２では、前述のような擬似音の電気信号を発し、これをスピーカ１８から音、例えば、「ズバー」として発する。
このように、マイクロホン３５を使用することによって、小さいな信号では反応せず、例えば、物の上に置いても、反応しないので、極めて誤動作が少ない。なお、図中２０ａは制御部を示す。
【００２８】
前記実施の形態では、センサー手段の検知部として静電容量を検知する電極片やマイクロホンを使用したが、他の手段を検知部としてもよい。例えば、このような他の手段としては、（１）刀部の刃先（実際に相手に切り付ける部分）を可動形として、刃先の動きをリミットスイッチで検知するもの、（２）刀部の基側にストレインゲージを貼って、刀部の根元に掛かる応力を検知し、人に当たった場合の応力とお互いの刀同士が触れた場合の応力とを区別（例えば、衝撃波形等から）し、擬似音発生器を作動させるようにしてもよい。また、前記実施の形態においては、全てを模造刀剣内に仕込んでいるが、センサー手段の検知部のみ又はこれに関連する部分のみを模造刀剣内に仕込み、無線等で模造刀剣とは別に設けた装置に送信し、信号処理して擬似音を発生するようにしてもよい。
【図面の簡単な説明】
【００２９】
【図１】本発明の第１の実施の形態に係る模造刀剣の側面図である。
【図２】図１におけるＡ−Ａ矢視断面図である。
【図３】図１におけるＢ−Ｂ矢視断面図である。
【図４】変形例に係る模造刀剣の断面図である。
【図５】変形例に係る模造刀剣の断面図である。
【図６】本発明の第２の実施の形態に係る模造刀剣の側面図である。
【図７】本発明の第１の実施の形態に係る模造刀剣の電気配線を示すブロック図である。
【図８】本発明の第２の実施の形態に係る模造刀剣の電気配線を示すブロック図である。
【符号の説明】
【００３０】
１０：模造刀剣、１１：刀剣本体、１２：刀部、１３：鞘、１４：柄部、１５：鍔、１６、１７：電極片、１８：スピーカ、１９：信号処理器、２０、２０ａ：制御部、２１：電池、２２：擬似音発生器、２４：刀剣本体、２５、２６：電極片、２７：刀剣本体、２８、２９：電極片、３０：ランプ、３１：電源スイッチ、３４：模擬刀剣、３５：マイクロホン、３６：刀剣本体、３７：信号処理器
【図１】
2005224432.tif 000003
【図２】
2005224432.tif 000004
【図３】
2005224432.tif 000005
【図４】
2005224432.tif 000006
【図５】
2005224432.tif 000007
【図６】
2005224432.tif 000008
【図７】
2005224432.tif 000009
【図８】
2005224432.tif 000010